(57)【要約】【課題】コストを削減することができる音声機能を持つ電子装置を提供すること。【解決手段】本発明に係る音声機能を持つ電子装置は、スピーカーと、下筐体と、レシーバが設けられた上筐体と、を備える。前記下筐体には、側壁が連続して屈曲する筐状の支持部と、前記支持部の中央部に位置する固定部と、少なくとも１つの貫通溝と、が設けられる。前記スピーカーは、前記固定部に搭載される。前記スピーカーの底面と前記下筐体の内面の間には、前記固定部により取り囲まれる第一音室が形成される。前記貫通溝は、前記固定部に対応して前記下筐体に設けられ、且つ前記電子装置の外部に連通する。前記支持部には、前記第一音室及び前記レシーバを連通する空洞部が設けられる。前記スピーカーが発した音声は、前記第一音室に入ってから前記貫通溝を通して電子装置の外部へ伝送されると共に、前記空洞部を介して前記レシーバまで伝送される。【選択図】図５
2012029288.tif 000002
【特許請求の範囲】
【請求項１】
スピーカーと、下筐体と、レシーバが設けられた上筐体と、を備える音声機能を持つ電子装置であって、
前記下筐体には、側壁が連続して屈曲する筐状の支持部と、前記支持部の中央部に位置する固定部と、少なくとも１つの貫通溝と、が設けられ、前記スピーカーは、前記固定部に搭載され、
前記スピーカーの底面と前記下筐体の内面の間には、前記固定部により取り囲まれる第一音室が形成され、前記貫通溝は、前記固定部に対応して前記下筐体に設けられ且つ前記電子装置の外部に連通し、前記支持部には、前記第一音室及び前記レシーバを連通する空洞部が設けられ、
前記スピーカーが発した音声が、前記第一音室に入ってから前記貫通溝を通して電子装置の外部へ伝送されると共に、前記空洞部を介して前記レシーバまで伝送されることを特徴とする音声機能を持つ電子装置。
【請求項２】
前記音声機能を持つ電子装置は、第一シール部材を有するシールアセンブリをさらに備え、前記第一シール部材は、前記スピーカーと前記固定部との間に挟まれて前記第一音室を密封することを特徴とする請求項１に記載の音声機能を持つ電子装置。
【請求項３】
前記固定部は、キャリア部と、このキャリア部の上面に間隔をあけて設けられる少なくとも２つのフックと、を備え、
前記スピーカーの周面の前記第一音室から離れる一端には係止用階段状部が設けられ、前記フックを前記係止用階段状部に係合させることにより前記スピーカーを前記下筐体に固定することを特徴とする請求項１又は２に記載の音声機能を持つ電子装置。
【請求項４】
前記下筐体の背面が、前記下筐体を貫通するように設けられる連通開口を有し、前記連通開口の一端は前記空洞部と互いに連通し、前記連通開口の他端は前記第一音室に連通し、
前記シールアセンブリは、前記連通開口に対応して固定されて前記連通開口を閉鎖する遮蔽板をさらに備えることを特徴とする請求項２に記載の音声機能を持つ電子装置。
【請求項５】
前記音声機能を持つ電子装置は、前記支持部を押圧するように装着される回路基板を備え、前記シールアセンブリは、前記回路基板及び前記支持部の間に挟持される第二シール部材を備え、
前記スピーカーの上面と前記回路基板との間には、前記第二シール部材により取り囲まれて密封されることで、第二音室が形成されることを特徴とする請求項２に記載の音声機能を持つ電子装置。
【発明の詳細な説明】
【技術分野】
【０００１】
本発明は、電子装置に関し、特に音声機能を持つ電子装置に関するものである。
【背景技術】
【０００２】
従来の音声機能を持つ電子装置において、その上筐体或いは下筐体における放音孔、ハンズフリー機能及びレシーバに対応する箇所には、音声効果を確保するためのスピーカーがそれぞれ設けられる。上記の構造を有する電子装置は、製造コストの上昇によって、価格に優位性がなく市場での競争力が低下する。従って、コストダウンを図ると共に電子装置の構造を簡潔化することが重要な課題になる。
【発明の概要】
【発明が解決しようとする課題】
【０００３】
本発明は、上記の問題点を解消するためのもので、コストを削減することができる音声機能を持つ電子装置を提供することを目的とする。
【課題を解決するための手段】
【０００４】
上記の目的を達成するために、本発明に係る音声機能を持つ電子装置は、スピーカーと、下筐体と、レシーバが設けられた上筐体と、を備える。前記下筐体には、側壁が連続して屈曲する筐状の支持部と、前記支持部の中央部に位置する固定部と、少なくとも１つの貫通溝と、が設けられる。前記スピーカーは、前記固定部に搭載される。前記スピーカーの底面と前記下筐体の内面との間には、前記固定部により取り囲まれる第一音室が形成される。前記貫通溝は、前記固定部に対応して前記下筐体に設けられ、且つ前記電子装置の外部に連通する。前記支持部には、前記第一音室及び前記レシーバを連通する空洞部が設けられる。前記スピーカーが発した音声は、前記第一音室に入ってから前記貫通溝を通して電子装置の外部へ伝送されると共に、前記空洞部を介して前記レシーバまで伝送される。
【発明の効果】
【０００５】
既存の音声機能を持つ電子装置と比較すると、本発明は、ただ１つのスピーカーだけで電子装置の拡声機能、レシーバ機能及びバイブ機能を実現することができる。即ち、本発明の電子装置の構造は、上記の多種の機能に対応してそれぞれスピーカーを設ける必要がなく、製造コストを低減し、電子装置の内部空間を節約し、電子装置の軽薄化及び小型化を促進した。
【図面の簡単な説明】
【０００６】
【図１】本発明の音声機能を持つ電子装置の分解図である。
【図２】図１に示した音声機能を持つ電子装置の下筐体を反対側から見た立体斜視図である。
【図３】図２に示した音声機能を持つ電子装置の下筐体の分解図である。
【図４】図３に示した音声機能を持つ電子装置の下筐体を別の視点から見た分解図である。
【図５】図１に示した音声機能を持つ電子装置が一体に組み立てられた後の部分的な断面図である。
【発明を実施するための形態】
【０００７】
図１乃至図４に示したように、本発明の実施形態に係る音声機能を持つ電子装置１００は、スピーカー１０と、下筐体３０と、上筐体４０と、回路基板５０と、シールアセンブリ７０と、を備える。前記スピーカー１０、前記回路基板５０及び前記シールアセンブリ７０は、すべて前記下筐体３０に装着される。
【０００８】
前記スピーカー１０は、電気信号を音声に変換してから放音することに用いられる。前記スピーカー１０の内部には、前記電子装置１００の振動機能を実現するためのバイブレータ（図示せず）が内蔵されている。前記スピーカー１０の下半部の周面には、略矩形状の固定ブロック１１が突設されている。前記スピーカー１０の上半部のサイズが下半部より小さいので、前記スピーカー１０の周面には、係止用階段状部１３が形成される。前記固定ブロック１１及び前記係止用階段状部１３は、前記スピーカー１０を前記下筐体３０に装着するために用いられる。
【０００９】
前記下筐体３０は、対向して配置されている背面３１及び内面３２と、支持部３３と、固定部３４と、３つの貫通溝３５と、連通開口３６と、を備える。前記背面３１の中部は凹んで、前記電子装置１００のリチウム電池（図示せず）を収納するための収容凹部３９を形成する。前記支持部３３は、側壁が連続して屈曲し且つ全体を閉め切っている中空の筐体であり、前記収容凹部３９からずれて、前記内面３２から上に向かって垂直に延伸してなる。前記支持部３３の側壁には、前記固定ブロック１１を挟持して固定するための２つの固定板３３１が、間隔をあけて設けられている。前記支持部３３における前記固定板３３１の真正面の側壁には、空洞部３３３が形成されている。
【００１０】
前記固定部３４は、環状のキャリア部３４１及び３つのフック３４３を備える。前記キャリア部３４１は、前記支持部３３の中央部の前記内面３２から突出し、且つ形状及びサイズが前記スピーカー１０の形状及びサイズにそれぞれ一致する。前記スピーカー１０は、前記キャリア部３４１上に搭載される。３つの前記フック３４３は、互いに間隔をあけて設けられ、前記キャリア部３４１の上面に直交して所定の長さまで延伸してから、前記キャリア部３４１の内側へ折り曲げられて形成される。前記フック３４３の折り曲げ部が前記係止用階段状部１３に係合すると、前記スピーカー１０は前記下筐体３０に固定される。
【００１１】
３つの前記貫通溝３５は、略矩形のスロットであり、前記支持部３３の中央部に互いに平行して設けられ、且つ前記内面３２から凹んで前記背面３１にわずかに突出して形成される（図３を参照）。なお、前記貫通溝３５の数は、３つに限定されるものではなく、１つだけであってもよい。
【００１２】
前記連通開口３６は、楕円状を呈して、前記下筐体３０を貫通するように前記背面３１の一端に傾斜して設けられる。前記連通開口３６の一端は、前記空洞部３３３と互いに連通し、前記連通開口３６の他端は、前記キャリア部３４１の底部まで延伸する（図４を参照）。
【００１３】
前記上筐体４０は、形状及びサイズが前記下筐体３０にマッチングする直方体であり、前記下筐体３０の上面を覆うように前記下筐体３０と互いに係合する。前記上筐体４０の、前記下筐体３０の空洞部３３３に対応する箇所には、細長いレシーバ４１が設けられる。ユーザーは、前記レシーバ４１を介して前記スピーカー１０が発する音声を聞き取る。
【００１４】
前記回路基板５０は、常用されるフレキシブル配線基板であり、前記下筐体３０の内面３２に装着されて、前記電子装置１００内の部品間の電気的な接続を実現する。前記回路基板５０の前記空洞部３３３に対応する箇所には、貫通穴５１が設けられている。
【００１５】
前記シールアセンブリ７０は、第一シール部材７１、第二シール部材７３及び遮蔽板７５を備える。前記第一シール部材７１は、発泡体等の弾性材料からなる、前記キャリア部３４１と同じ形状及びサイズを有する環状体であり、前記スピーカー１０と前記キャリア部３４１との接触部位の隙間を密封する役割を果たす。前記第一シール部材７１の外周面には、３つの前記フック３４３をそれぞれ収納するための３つの収容凹所７１１が設けられている。前記第二シール部材７３は、発泡体等の弾性材料からなり、その形状及びサイズが前記支持部３３の形状及びサイズにそれぞれ一致する筐体であり、且つ前記回路基板５０と前記支持部３３との間の隙間を密封する役割を果たす。前記第二シール部材７３の前記空洞部３３３に対応する箇所には、前記貫通穴５１と同じ形状及びサイズを有する連通穴７３１が設けられている。前記遮蔽板７５は、前記連通開口３６の形状及びサイズにマッチングする板状体であり、前記連通開口３６を塞いでそれを閉鎖する。
【００１６】
以下、各図面を参照しながら、本発明の電子装置１００の組み立てステップについて詳細に説明する。
【００１７】
組み立てる場合に、まず、３つの前記フック３４３をそれぞれ３つの前記収容凹所７１１に嵌合させるように、前記第一シール部材７１を前記キャリア３４１上に載せる。次いで、前記スピーカー１０を前記キャリア部３４１上に配置すると共に、前記固定ブロック１１を２つの前記固定板３３１の間に挟持させ、且つ各フック３４３の折り曲げ部を前記係止用階段状部１３に係合させる。この際、前記第一シール部材７１は、前記キャリア部３４１と前記スピーカー１０との間に挟まれて、前記スピーカー１０に押圧されて変形して、前記スピーカー１０と前記キャリア部３４１との間の隙間を密封する。これにより、前記スピーカー１０の底面と前記下筐体３０の内面３２との間の空間は、前記キャリア部３４１により取り囲まれることで、第一音室６０を形成する。
【００１８】
次に、粘着等の方式で前記第二シール部材７３を前記支持部３３上に固定する。この際、前記連通穴７３１を前記空洞部３３３の位置に対応させて、前記空洞部３３３及び前記連通開口３６の一端に連通させる。
【００１９】
次に、前記回路基板５０を、前記第二シール部材７３に当接するように前記下筐体３０に装着する。この際、前記貫通穴５１と前記連通穴７３１とは、互いに連通する。前記第二シール部材７３は、前記回路基板５０に押圧されて変形して、前記回路基板５０と前記支持部３３との間の隙間を密封する。これにより、前記スピーカー１０の上面と前記回路基板５０との間の空間は、前記第二シール部材７３により取り囲まれることで、第二音室８０を形成する。
【００２０】
最後に、超音波溶接により前記遮蔽板７５を前記連通開口３６に対応させて固定して、前記連通開口３６を閉鎖する。続いて、前記レシーバ４１と前記貫通穴５１との位置を合わせるように、前記上筐体４０と前記下筐体３０とを一体に係合する。この際、前記上筐体４０のレシーバ４１と前記上筐体３０の空洞部３３３とは、互いに連通する。
【００２１】
前記電子装置１００を使用する場合、前記スピーカー１０は、前記第一音室６０及び前記第二音室８０に向かってそれぞれ音声を発する。前記第一音室６０内の音声は、前記貫通溝３５を通して前記電子装置１００の外部へ伝送されて、この電子装置１００のハンズフリー機能及び放音機能を実現する。また、前記第一音室６０内の音声は、前記連通開口３６に入って、前記空洞部３３３、前記連通穴７３１及び前記貫通穴５１を通過して前記電子装置１００のレシーバ４１に伝送されて、レシーバの機能を実現する。前記連通開口３６の長さが前記レシーバ４１の声音効果に影響を及ぼすので、実際の要求に応じて前記連通開口３６のサイズを調整することができる。前記第二音室８０は、前記スピーカー１０の重低音効果を強める役割を果たし、前記電子装置１００の放音、ハンズフリー或いはレシーバの音質を調節する。前記電子装置１００がバイブモードにある際に、前記スピーカー１０内に配置されたバイブレータは、前記電子装置１００を連動して振動させて、前記電子装置１００のバイブ機能を実現する。
【００２２】
また、前記遮蔽板７５が前記下筐体３０に一体成型されて、前記連通開口３６を閉鎖することも可能である。しかも、加工要求に応じて金型の構造等を変更して、所望長さの連通開口３６を成型することで、前記電子装置１００のレシーバ４１の声音効果を確保する。
【００２３】
本発明の実施形態によると、ただ１つのスピーカー１０だけで、前記電子装置１００の拡声機能、レシーバ機能及びバイブ機能を実現することができる。即ち、本発明の電子装置の構造は、上記の多種の機能に対応してそれぞれスピーカーを設ける必要がなく、電子装置の製造コストを低減し、電子装置の内部空間を節約し、電子装置の軽薄化及び小型化を促進した。
【００２４】
以上、本発明の好適な実施形態について詳細に説明したが、本発明は前記実施形態に制限されるものではなく、本発明の範囲内で種々の変形又は修正が可能であり、該変形又は修正もまた、本発明の特許請求の範囲内に含まれるものであることは、いうまでもない。
【符号の説明】
【００２５】
１０                スピーカー
１１                固定ブロック
１３                係止用階段状部
３０                下筐体
３１                背面
３２                内面
３３                支持部
３４                固定部
３５                貫通溝
３６                連通開口
３９                収容凹部
４０                上筐体
４１                レシーバ
５０                回路基板
５１                貫通穴
６０                第一音室
７０                シールアセンブリ
７１                第一シール部材
７３                第二シール部材
７５                遮蔽板
８０                第二音室
１００              電子装置
３３１              固定板
３３３              空洞部
３４１              キャリア部
３４３              フック
７１１              収容凹所
７３１              連通穴
【図１】
2012029288.tif 000003
【図２】
2012029288.tif 000004
【図３】
2012029288.tif 000005
【図４】
2012029288.tif 000006
【図５】
2012029288.tif 000007